【手続補正書】
【提出日】平成15年7月28日(2003.7.28)
【手続補正１】
【補正対象書類名】明細書
【補正対象項目名】発明の名称
【補正方法】変更
【補正の内容】
【発明の名称】携帯テレビ電話端末、携帯テレビ電話システム、携帯テレビ電話端末の発呼方法および携帯テレビ電話端末の着呼方法
【手続補正２】
【補正対象書類名】明細書
【補正対象項目名】特許請求の範囲
【補正方法】変更
【補正の内容】
【特許請求の範囲】
【請求項１】
画像表示を行う画像表示手段と、
相手方端末との間で画像データ及び音声データの送受信を行うデータ送受信手段と、
相手方端末からの着呼に自動応答し、前記データ送受信手段による少なくとも画像データの双方向通信を可能にする制御手段とを備えることを特徴とする携帯テレビ電話端末。
【請求項２】
所定の相手方を特定するための情報を記憶する情報記憶手段と、
着呼時の受信データと前記情報記憶手段の記憶情報とを比較して、前記所定の相手方からの着呼であるかを判定する判定手段とを備え、
前記制御手段は、前記判定手段で所定の相手方からの着呼であると判定された場合に限り、前記データ送受信手段による送受信を可能にすることを特徴とする請求項１記載の携帯テレビ電話端末。
【請求項３】
画像表示を行う画像表示手段と、
相手方端末との間で画像データ及び音声データの送受信を行うデータ送受信手段と、
所定の相手方を特定するための情報を記憶する情報記憶手段と、
着呼時の受信データと前記情報記憶手段の記憶情報とを比較して、前記所定の相手方からの着呼であるかを判定する判定手段と、
前記判定手段で所定の相手方からの着呼であると判定された場合に、その相手方による双方向通信のための自己端末の遠隔操作を受付可能とする制御手段とを備えることを特徴とする携帯テレビ電話端末。
【請求項４】
前記所定の相手方を特定するための情報は、発信者番号，暗証番号のうちいずれか一方または両方であることを特徴とする請求項２または請求項３記載の携帯テレビ電話端末。
【請求項５】
着呼を検出すると自動応答する自動応答モードを設定する設定手段を備え、前記制御手段は、相手側端末から着呼を受けると、自動応答モードに設定されていると判定された場合に限り相手方端末からの着呼に自動応答し、前記データ送受信手段による送受信を可能にすることを特徴とする請求項１記載の携帯テレビ電話端末。
【請求項６】
前記制御手段は、着呼を検出したとき、相手方端末からの着呼が画像及び音声のモードと判定された場合に限り、相手方端末からの着呼に自動応答し、前記データ送受信手段による送受信を可能にすることを特徴とする請求項１記載の携帯テレビ電話端末。
【請求項７】
着呼を検出すると自動応答する自動応答モードを設定する設定手段を備え、
前記制御手段は、着呼を検出したとき、相手方端末からの着呼が画像及び音声のモードと判定された場合に限り、前記自動応答モードに設定されているかどうかを判定し、前記自動応答モードに設定されているときは相手方端末からの着呼に自動応答し、前記データ送受信手段による送受信を可能にすることを特徴とする請求項１記載の携帯テレビ電話端末。
【請求項８】
少なくとも通話モードを画像及び音声のモード又は音声のモードに切り換え可能な携帯テレビ電話システムにおいて、
発呼側端末は、自動応答通話を行う際は、相手方の電話番号と、通話モードが画像及び音声のモードであることを示す識別データと、自動応答を許可してもらうための認証情報と、を含む発呼データを送信し、
着呼側端末は、通話モードが画像及び音声のモードである着呼を検出した場合、自動応答モードが設定されているかどうかを判定し、前記自動応答モードが設定されている場合は前記発呼側端末から受信した認証情報を認証して自動応答することを特徴とする携帯テレビ電話システム。
【請求項９】
少なくとも通話モードを画像及び音声のモード又は音声のモードに切り換え可能な携帯テレビ電話端末の発呼方法において、
自動応答通話を行うときは、相手方の電話番号と、通話モードが画像及び音声のモードであることを示す識別データと、自動応答を許可してもらうための認証情報と、を含む発呼データを送信することを特徴とする携帯テレビ電話端末の発呼方法。
【請求項１０】
少なくとも通話モードを画像及び音声のモード又は音声のモードに切り換える切換手段と、
自動応答通話を行う発呼時に相手方の電話番号と、通話モードが画像及び音声のモードであることを示す識別データと、自動応答を許可してもらうための認証情報と、を含む発呼データを送信する送信手段と、
を備えたことを特徴とする携帯テレビ電話端末。
【請求項１１】
少なくとも通話モードを画像及び音声のモード又は音声のモードに切り換え可能な携帯テレビ電話端末の着呼方法において、
通話モードが画像及び音声のモードである着呼を検出した場合、自動応答モードが設定されているかどうかを判定し、自動応答モードが設定されている場合は、相手側端末を認証して、自動で通話モードを画像及び音声のモードに切り換えて応答することを特徴とする携帯テレビ電話端末の着呼方法。
【請求項１２】
少なくとも通話モードを画像及び音声のモード又は音声のモードに切り換える切換手段と、
自動応答モードを設定する設定手段と、
着呼を検出する検出手段と、
相手側端末を認証する認証手段と、
前記検出手段が通話モードが画像及び音声のモードである着呼を検出すると、前記設定手段が自動応答モードを設定しているかどうかを判定する制御手段と、を備え、
該制御手段は、自動応答モードを設定していると判定した場合、前記認証手段が相手側端末を認証し、正常に認証された場合は自動で通話モードを画像及び音声のモードに切り換えて応答することを特徴とする携帯テレビ電話端末。
【手続補正３】
【補正対象書類名】明細書
【補正対象項目名】０００８
【補正方法】変更
【補正の内容】
【０００８】
【課題を解決するための手段】
上記目的を達成するため、本発明の携帯テレビ電話端末は、画像表示を行う画像表示手段と、相手方端末との間で画像データ及び音声データの送受信を行うデータ送受信手段と、相手方端末からの着呼に自動応答し、前記データ送受信手段による少なくとも画像データの双方向通信を可能にする制御手段とを備えることを特徴とするである。


【手続補正４】
【補正対象書類名】明細書
【補正対象項目名】００１２
【補正方法】変更
【補正の内容】
【００１２】
また、本発明の携帯テレビ電話端末は、画像表示を行う画像表示手段と、相手方端末との間で画像データ及び音声データの送受信を行うデータ送受信手段と、所定の相手方を特定するための情報を記憶する情報記憶手段と、着呼時の受信データと前記情報記憶手段の記憶情報とを比較して、前記所定の相手方からの着呼であるかを判定する判定手段と、前記判定手段で所定の相手方からの着呼であると判定された場合に、その相手方による双方向通信のための自己端末の遠隔操作を受付可能とする制御手段とを備えることを特徴とするものである。


【手続補正５】
【補正対象書類名】明細書
【補正対象項目名】００１３
【補正方法】変更
【補正の内容】
【００１３】
この構成では、受信者がこの種の携帯テレビ電話端末の操作に不慣れであっても、画像を含む円滑な双方向通信の実現はもとより、発信者が受信者に代わって複雑な端末操作を代行することが可能となる。また、携帯テレビ電話端末の監視テレビ的な用途への応用も可能となる。なお、所定の相手方を特定するための情報としては、例えば、発信者番号，暗証番号のうちいずれか一方または両方が採用される。
また、本発明の携帯テレビ電話端末は、着呼を検出すると自動応答する自動応答モードを設定する設定手段を備え、前記制御手段は、相手側端末から着呼を受けると、自動応答モードに設定されていると判定された場合に限り相手方端末からの着呼に自動応答し、前記データ送受信手段による送受信を可能にすることを特徴とするものである。また、前記制御手段は、着呼を検出したとき、相手方端末からの着呼が画像及び音声のモードと判定された場合に限り、相手方端末からの着呼に自動応答し、前記データ送受信手段による送受信を可能にすることを特徴とするものである。また、着呼を検出すると自動応答する自動応答モードを設定する設定手段を備え、前記制御手段は、着呼を検出したとき、相手方端末からの着呼が画像及び音声のモードと判定された場合に限り、前記自動応答モードに設定されているかどうかを判定し、前記自動応答モードに設定されているときは相手方端末からの着呼に自動応答し、前記データ送受信手段による送受信を可能にすることを特徴とするももである。
また、本発明の携帯テレビ電話システムは、少なくとも通話モードを画像及び音声のモード又は音声のモードに切り換え可能な携帯テレビ電話システムにおいて、発呼側端末は、自動応答通話を行う際は、相手方の電話番号と、通話モードが画像及び音声のモードであることを示す識別データと、自動応答を許可してもらうための認証情報と、を含む発呼データを送信し、着呼側端末は、通話モードが画像及び音声のモードである着呼を検出した場合、自動応答モードが設定されているかどうかを判定し、前記自動応答モードが設定されている場合は前記発呼側端末から受信した認証情報を認証して自動応答することを特徴とするものである。
また、本発明の携帯テレビ電話端末の発呼方法は、少なくとも通話モードを画像及び音声のモード又は音声のモードに切り換え可能な携帯テレビ電話端末の発呼方法において、自動応答通話を行うときは、相手方の電話番号と、通話モードが画像及び音声のモードであることを示す識別データと、自動応答を許可してもらうための認証情報と、を含む発呼データを送信することを特徴とするものである。
また、本発明の携帯テレビ電話端末は、少なくとも通話モードを画像及び音声のモード又は音声のモードに切り換える切換手段と、自動応答通話を行う発呼時に相手方の電話番号と、通話モードが画像及び音声のモードであることを示す識別データと、自動応答を許可してもらうための認証情報と、を含む発呼データを送信する送信手段と、を備えたことを特徴とするものである。
また、本発明の携帯テレビ電話端末の着呼方法は、少なくとも通話モードを画像及び音声のモード又は音声のモードに切り換え可能な携帯テレビ電話端末の着呼方法において、通話モードが画像及び音声のモードである着呼を検出した場合、自動応答モードが設定されているかどうかを判定し、自動応答モードが設定されている場合は、相手側端末を認証して、自動で通話モードを画像及び音声のモードに切り換えて応答することを特徴とするものである。
また、本発明の携帯テレビ電話機は、少なくとも通話モードを画像及び音声のモード又は音声のモードに切り換える切換手段と、自動応答モードを設定する設定手段と、着呼を検出する検出手段と、相手側端末を認証する認証手段と、前記検出手段が通話モードが画像及び音声のモードである着呼を検出すると、前記設定手段が自動応答モードを設定しているかどうかを判定する制御手段と、を備え、該制御手段は、自動応答モードを設定していると判定した場合、前記認証手段が相手側端末を認証し、正常に認証された場合は自動で通話モードを画像及び音声のモードに切り換えて応答することを特徴とするものである。